【事件の表示】
　特願２０００−３７２３６８「パチンコ機」拒絶査定不服審判事件〔平成１３年　６月　５日出願公開、特開２００１−１４９５９５〕について、次のとおり審決する。
【結　論】
　本件審判の請求は、成り立たない。
【理　由】
１．手続の経緯
　本願は、平成５年１２月８日に出願した特願平５−３４０２５１号の一部を平成１２年１２月７日に新たな特許出願としたものであって、平成１４年８月１２日付けの拒絶理由通知に対し同年１０月２１日付けで手続補正がなされ、同年１１月１８日付けで拒絶査定がなされ、これに対し、同年１２月２６日に拒絶査定に対する審判請求がなされたものである。
　
２．本願発明
　本願の請求項１及び２に係る発明は、平成１４年１０月２１日付けの手続補正によって補正された明細書及び出願当初の図面の記載からみて、特許請求の範囲の請求項１及び２に記載されたとおりのものと認められるところ、その請求項１に記載された発明（以下「本願発明」という。）は次のとおりである。
　「遊技盤面上に始動入賞口を配設すると共に、所定の遊技情報を可変表示可能な可変表示装置を有するパチンコ機において、
　遊技盤面のガイドレールで囲まれた遊技部のほゞ中段、横方向に幅広に配設した可変表示装置は、基板部の前面側に遊技球が通過可能な通過領域を確保し、該通過領域の前面側には複数の識別情報を可変表示可能な液晶表示板からなる表示部材を備え、前記通過領域には基板部に形成された複数の振分部材を臨ませ、前記基板部及び振分部材は光透過性の材質からなり基板部の後面側に設けた光源の光を透過可能なように設けてあり、
　遊技部を流下する遊技球が可変表示装置の通過領域を通過可能であり、この通過領域を通過中の遊技球を非通電状態の表示部材を通して見ることができることを特徴とするパチンコ機。」
　
３．引用刊行物記載の発明
　これに対して、原査定の拒絶の理由に引用された、本願の出願の日前である平成５年５月１４日に頒布された「特開平５−１１５５９６号公報」（以下「引用例」という。）には、図面とともに、次の事項が記載されている。
　
　（１）遊技領域２には、複数種類の識別情報を可変表示可能な可変表示装置３が設けられているとともに、始動入賞口１０ａ、１０ｂ、１０ｃが設けられている。（段落０００７）
　
　（２）可変表示装置３には、遊技盤面から所定距離離れた位置に設けられた、液晶表示部からなる図柄表示部３ａ、３ｂ、３ｃが設けられている。各図柄表示部３ａ〜３ｃと遊技盤との間の間隔はパチンコ玉の直径よりも大きく設けられており、したがって遊技盤表面と図柄表示部３ａ〜３ｃとの間をパチンコ玉が通過可能である。（段落００１１）
　
　（３）図２〜図４を参照して、可変表示装置３は、遊技盤１に取付けられる透明取付基板２７と、取付基板２７から内側ガラス板４９ａ、外側ガラス板４９ｂの方向に突出して設けられた液晶表示器３１とを含む。遊技盤１には開口１ａが形成されており、開口１ａ内に可変表示装置３が組込まれる。取付基板２７は遊技盤１の表面とほぼ面一になるように遊技盤１に取付けられている。取付基板２７表面と液晶表示器３１との間には、前述したようにパチンコ玉Ｐが通過可能な間隔Ｄが形成されている。（段落００１３）
　
　（４）モータ軸４３には、透明ドラム４４が取付けられ、透明ドラム４４の周囲には装飾絵柄３３（図２参照）が書込まれた装飾フィルム４５が貼着されている。ドラム４４、装飾フィルム４５の代わりに、透明のベルト状のものを用い、そのベルト上に装飾絵柄を描いてもよい。（段落００１４）
　
　（５）ランプ保持部材４６の２つの側面の内側にはランプ基板４１が取付けられ、ランプ基板４１にはドラムランプ２２が取付けられている。ドラムランプ２２は、液晶表示器３１およびドラム４４の装飾フィルム４５のバックライト用のものであり、常時点灯している。（段落００１５）
　
　（６）図２を参照して、液晶表示器３１には、それぞれ７セグメントの液晶表示部３２ａ〜３２ｃが形成されている。液晶表示部３２ａ〜３２ｃによる表示は、図示されない制御回路によって可変表示可能であり、可変表示部３ａ〜３ｃを形成している。液晶表示器３１の、液晶表示部３２ａ〜３２ｃ以外の部分は透明であり、したがって取付基板２７の裏面にドラムランプ２２によって投影された装飾フィルム４５上の絵柄３３を遊技者が直接見ることができる。（段落００１６）
　
　（７）また、装飾絵柄３３は取付基板２７の裏面に表示されているため、パチンコ玉Ｐは装飾絵柄３３と液晶表示器３１により表示される識別情報との間を通過することになる。したがって、装飾絵柄３３とパチンコ玉Ｐとが一体となった従来にない特殊な効果を有する表示が行なえるとともに、液晶表示器３１により表示される識別情報が突出して見えるという効果もある。なお、液晶表示器３１と取付基板との間に障害部材を設けて玉通過口３０に進入して来たパチンコ玉Ｐの落下方向を変化させてもよい。（段落００１９）
　
　（８）偏光板５０ａ、５０ｂは、互いの偏光方向がたとえば平行となるように各ガラス基板５１ａ、５１ｂに貼着されている。透明電極５２ａ、５２ｂ間に電圧が印加されていない場合、たとえば偏光板５０ｂの方向から液晶層５５内に入射した光の偏光方向は、液晶層５５によって所定角度曲げられる。偏光板５０ａの偏光方向が偏光板５０ｂの偏光方向と同一であるため、液晶層５５を通過して偏光方向が変化された光は偏光板５０ａを通過することができない。したがってこの部分を遊技者から見た場合には何ら色彩を感じないことになる。一方、所定の透明電極間に電圧が印加された場合は、偏光板５０ｂを通過して液晶層５５に入射した光は、何らその偏光方向を変化されずに偏光板５０ａに達する。したがってこの光は偏光板５０ａを通過することができ、その結果遊技者から見るとこの部分が明るく、かつ該当するカラーフィルタの色で着色された部分として識別できることになる。本実施例の場合、ドラムランプ２２によって後方から光が与えられるため、遊技者から見た場合には識別情報が２色で、かつはっきりと表示されることになる。（段落００２１）
　
　また、図１から、遊技領域２が遊技盤面のガイドレールで囲まれていること、及び、可変表示装置３が遊技領域２のほゞ中段、横方向に幅広に配設されていることが認められる。
　
　前記摘示の記載及び図面によれば、引用例には、以下の発明（以下、「引用発明１」という。）が記載されているものと認められる。
　「遊技盤面上に始動入賞口１０ａ、１０ｂ、１０ｃを配設すると共に、所定の遊技情報を可変表示可能な可変表示装置３を有するパチンコ機において、
　遊技盤面のガイドレールで囲まれた遊技領域２のほゞ中段、横方向に幅広に配設した可変表示装置３は、透明取付基板２７の前面側に遊技球が通過可能な間隔Ｄの間を確保し、該間隔Ｄの間の前面側には複数の識別情報を可変表示可能な７セグメントの液晶表示部３２ａ〜３２ｃからなる液晶表示器３１を備え、前記間隔Ｄの間には障害部材を臨ませ、前記透明取付基板２７は透明な材質からなり透明取付基板２７の後面側に設けたドラムランプ２２の光を透過可能なように設けてあり、
　遊技領域２を流下する遊技球が可変表示装置３の間隔Ｄの間を通過可能であり、この間隔Ｄの間を通過中の遊技球を、液晶表示器３１における液晶表示部３２ａ〜３２ｃ以外の部分を通して見ることができ、液晶表示部３２ａ〜３２ｃを通して見ることができないパチンコ機。」
　
４．対比
　本願発明と引用発明を対比すると、引用発明に記載された「遊技領域２」、「透明取付基板２７」、「間隔Ｄの間」、「７セグメントの液晶表示部３２ａ〜３２ｃ」、「液晶表示器３１」、「障害部材」及び「ドラムランプ２２」は、それぞれ本願発明の「遊技部」、「基板部」、「通過領域」、「液晶表示板」、「表示部材」、「振分部材」及び「光源」に相当する。
　そうすると、本願発明と引用発明は、「遊技盤面上に始動入賞口を配設すると共に、所定の遊技情報を可変表示可能な可変表示装置を有するパチンコ機において、
　遊技盤面のガイドレールで囲まれた遊技部のほゞ中段、横方向に幅広に配設した可変表示装置は、基板部の前面側に遊技球が通過可能な通過領域を確保し、該通過領域の前面側には複数の識別情報を可変表示可能な液晶表示板からなる表示部材を備え、前記通過領域には振分部材を臨ませ、前記基板部は光透過性の材質からなり基板部の後面側に設けた光源の光を透過可能なように設けてあり、
　遊技部を流下する遊技球が可変表示装置の通過領域を通過可能であるパチンコ機。」で一致し、以下の点で相違する。
　
相違点１；本願発明は、複数の振分部材を基板部に形成するのに対して、引用発明は、振分部材の具体的な構成を特定していない点。
　
相違点２；本願発明は、振分部材を光透過性の材質とするのに対して、引用発明は、振分部材の材質を特定していない点。
　
相違点３；通過領域を通過中の遊技球を、本願発明は、非通電状態の表示部材を通して見ることができるのに対して、引用発明は、表示部材における液晶表示部３２ａ〜３２ｃ以外の部分を通して見ることができるものの、液晶表示部３２ａ〜３２ｃを通して見ることができない点。
　
５．当審の判断
　上記相違点について検討する。
（相違点１について）
　振分部材を複数とすることは、パチンコ機において、例えば、振分部材である釘が遊技盤面上に複数設けられるように、従来から慣用される手段であり、引用発明において、通過領域に振分部材を設けるに際して、その数を複数とすることは、当業者が適宜成し得る設計事項に過ぎない。
　また、振分部材が遊技部を流下する遊技球に対抗し得る強度を必要とすることは、当業者にとって常識的な事項であり、引用発明における基板部は、液晶表示板を設けていることからも、十分な強度を有するものと認められ、振分部材を基板部に設けた点は、当業者が、通過領域周囲の構成要素から設計的に選択した程度のことである。
　さらに、振分部材を基板部に形成することも、パチンコ機として、周知技術（特公昭５２−３１７７５号公報又は実公平５−２９７５５号公報参照）であることから、引用発明において、通過領域に振分部材を設けるに際して、振分部材を基板部に形成することは、当業者が容易に想到できることである。
　
（相違点２について）
　引用発明において、光源は液晶表示板のバックライトとしての機能を有し、基板部及びドラム４４が透明であり、また、ベルト状のものを用いる場合も透明とすることから、液晶表示板と光源の間に位置する振分部材についても、透明、即ち、光透過性の材質として、バックライトとしての機能を損なわないようにすることは、当業者にとって格別の創意工夫を要することではない。
　さらに、後面側に光源を設けた振分部材の材質を、光透過性とすることも、パチンコ機として、周知技術（原査定の拒絶の理由で引用された特開昭６３−３１８９７３号公報又は実願平３−４８６９８号（実開平５−８６３７９号）のＣＤ−ＲＯＭ参照）であることからも、引用発明において、振分部材を光透過性の材質とすることは、当業者が容易に想到できることである。
　
（相違点３について）
　遊技球の通過領域の前面側に識別情報を表示可能なパチンコ機の液晶表示部材において、非通電状態に透明状態、通電状態に不透明状態として、非通電状態の液晶表示部材を通して遊技部を見ることができるようにすることは、周知技術（実公平４−１３０３４号公報、特開平１−３１３０７６号公報又は特開平４−５３５７９号公報参照）であるから、引用発明の表示部材において、前記した周知技術を採用して、非通電状態に透明状態、通電状態に不透明状態として、通過領域を通過中の遊技球を非通電状態の表示部材を通して見ることができるようにすることは、当業者が容易に想到できることである。
　
６．むすび
　したがって、本願発明は、引用発明及び周知・慣用技術に基づいて当業者が容易に発明をすることができたものであるから、特許法２９条２項の規定により特許を受けることができないものであり、本願の請求項２に係る発明について検討するまでもなく、本願は拒絶すべきものである。
　よって、結論のとおり審決する。